(57)【要約】【課題】従来では実現困難な種々の特性を容易に実現することができる電気光学装置、電子機器、及び電気光学装置の制御方法等を提供する。【解決手段】分散媒の中を泳動する電気泳動粒子を画像表示に用いる電気光学装置であって、第１の電極と、第２の電極と、第１の色に着色され、第１の極性に帯電された第１の電気泳動粒子と、第１の色に着色され、第１の極性に帯電された第２の電気泳動粒子と、を含み、第１の電気泳動粒子及び第２の電気泳動粒子は、第１の電極と第２の電極との間に配置され、第１の電気泳動粒子の帯電量の絶対値は第２の電気泳動粒子の帯電量の絶対値よりも大きいことを特徴とする。【選択図】図４
2014182171.tif 000002
【特許請求の範囲】
【請求項１】
分散媒の中を泳動する電気泳動粒子を画像表示に用いる電気光学装置であって、
第１の電極と、
第２の電極と、
第１の色に着色され、第１の極性に帯電された第１の電気泳動粒子と、
前記第１の色に着色され、前記第１の極性に帯電された第２の電気泳動粒子と、
を含み、
前記第１の電気泳動粒子及び前記第２の電気泳動粒子は、前記第１の電極と前記第２の電極との間に配置され、
前記第１の電気泳動粒子の帯電量の絶対値は前記第２の電気泳動粒子の帯電量の絶対値よりも大きいことを特徴とする電気光学装置。
【請求項２】
更に、第２の色に着色され、第２の極性に帯電された第３の電気泳動粒子を含むことを特徴とする、請求項１に記載の電気光学装置。
【請求項３】
更に、前記第２の色に着色され、前記第２の極性に帯電された第４の電気泳動粒子を含み、
前記第３の電気泳動粒子の帯電量の絶対値は前記第４の電気泳動粒子の帯電量の絶対値よりも大きいことを特徴とする請求項２に記載の電気光学装置。
【請求項４】
更に、第３の色に着色され、前記第１の極性に帯電された第５の電気泳動粒子を含み、
前記第５の電気泳動粒子の帯電量の絶対値は、前記第１の電気泳動粒子の帯電量の絶対値及び前記第２の電気泳動粒子の帯電量の絶対値と異なることを特徴とする請求項１乃至３のいずれか１項に記載の電気光学装置。
【請求項５】
前記第１の電気泳動粒子と前記第２の電気泳動粒子とでは、光に対する反射率が異なることを特徴とする請求項１乃至４のいずれか１項に記載の電気光学装置。
【請求項６】
前記第３の電気泳動粒子と前記第４の電気泳動粒子とでは、光に対する反射率が異なることを特徴とする請求項３乃至５のいずれか１項に記載の電気光学装置。
【請求項７】
前記分散媒は、着色されていることを特徴とする請求項１乃至６のいずれか１項に記載の電気光学装置。
【請求項８】
画像表示を行う電子機器であって、
請求項１乃至７のいずれか１項に記載の電気光学装置を有する電子機器。
【請求項９】
第１の色に着色され、第１の極性に帯電された第１の電気泳動粒子と、光に対する反射率が異なる前記第１の色に着色され、前記第１の極性に前記第１の電気泳動粒子と異なる帯電量に帯電された第２の電気泳動粒子と、を用い、
前記第１の電気泳動粒子の泳動距離及び前記第２の電気泳動粒子の泳動距離を制御することにより、表示する画像の階調の制御を行うことを特徴とする電気光学装置の制御方法。
【発明の詳細な説明】
【技術分野】
【０００１】
本発明は、電気光学装置、これを用いた電子機器、及び電気光学装置の制御方法等に関する。
【背景技術】
【０００２】
従来、この種の電気光学装置の一例として、電気泳動表示装置が知られている。電気泳動表示装置は、着色された電気泳動粒子を含む電気泳動素子を画素電極及び対向電極の間に挟み込んだ構成を有し、両電極間に電圧を印加して電気泳動粒子を泳動させることで画像を表示する。このとき、電気泳動表示装置において、例えば互いに異なる色に着色された電気泳動粒子を色毎に独立に制御して泳動させると、表示される画像の色の変更が可能となる。電気泳動素子は、例えば各々が複数の電気泳動粒子を含む複数のマイクロカプセルにより構成され、画素電極及び対向電極間に封入される。
【０００３】
このような電気泳動表示装置に関する技術について、例えば特許文献１〜特許文献３、非特許文献１、及び非特許文献２に開示されている。
【０００４】
特許文献１には、マイクロカプセル内の黒色着色分散媒中に分散される電気泳動粒子が、色毎に互いに異なる電気泳動移動度を有し、印加電圧値又は印加電圧の印加時間の違いにより、異なる色彩の表示を行う表示装置が開示されている。
【０００５】
特許文献２には、赤色、緑色、青色、及び白色のカラーフィルターを使用することによりカラーの画像表示を行う電気泳動表示装置が開示されている。
【０００６】
特許文献３には、流体内に各々が互いに異なる電気泳動移動度を有する複数の電気泳動粒子を含み、各電気泳動粒子による光学特性に従って画像を表示する電気泳動表示装置が開示されている。
【０００７】
非特許文献１には、色毎にエレクトロクロミック層を積層した構成によりカラーの画像を表示する電気泳動表示装置が開示されている。
【０００８】
非特許文献２には、互いに異なる閾値を有する着色電気泳動粒子を独立して制御することによりカラーの画像を表示する電気泳動表示装置が開示されている。
【先行技術文献】
【特許文献】
【０００９】
【特許文献１】特開２０００−１９４０２１号公報
【特許文献２】米国特許出願公報第２０１１／０３１０４６１号明細書
【特許文献３】米国特許出願公報第２００６／０２０２９４９号明細書
【非特許文献】
【００１０】
【非特許文献１】T.Yashiro， “Novel Design for Color Electrophoretic Display”， SID2011 5.3
【非特許文献２】N.Hiji， “Novel Color Electrophoretic E-Paper Using Independently Movable Colored Particles”，SID2012 8.4
【発明の概要】
【発明が解決しようとする課題】
【００１１】
特許文献１〜特許文献３及び非特許文献１〜非特許文献２から分かるように、電気泳動粒子の特性や電気泳動粒子を分散させる液体の特性は電気泳動表示装置の制御をどのようにするかを決定することにおいて重要な要素である。電気泳動表示装置においては、高コントラスト化と動作温度範囲の拡大や、表示状態の保持時間の長時間化と表示状態の更新時間の短縮など、更なる性能の向上を目指すことは重要である。
【課題を解決するための手段】
【００１２】
本発明は、以上のような技術的課題に鑑みてなされたものである。本発明の幾つかの態様によれば、従来では実現困難な種々の特性を容易に実現することができる電気光学装置、電子機器、及び電気光学装置の制御方法等を提供することができる。
【００１３】
［適用例１］
本適用例にかかる電気光学装置は、分散媒の中を泳動する電気泳動粒子を画像表示に用いる電気光学装置であって、第１の電極と、第２の電極と、第１の色に着色され、第１の極性に帯電された第１の電気泳動粒子と、前記第１の色に着色され、前記第１の極性に帯電された第２の電気泳動粒子と、を含み、前記第１の電気泳動粒子及び前記第２の電気泳動粒子は、前記第１の電極と前記第２の電極との間に配置され、前記第１の電気泳動粒子の帯電量の絶対値は前記第２の電気泳動粒子の帯電量の絶対値よりも大きいことを特徴とする。
【００１４】
この構成によれば、第１の電極と、第２の電極と、第１の色に着色され、第１の極性に帯電された第１の電気泳動粒子と、第１の色に着色され、第１の極性に帯電された第２の電気泳動粒子と、を含み、第１の電気泳動粒子及び第２の電気泳動粒子は、第１の電極と第２の電極との間に配置され、第１の電気泳動粒子の帯電量の絶対値は第２の電気泳動粒子の帯電量の絶対値よりも大きいことにより、第１の電極と第２の電極との間における電界の強さを制御することで第１の電気泳動粒子の動きと第２の電気泳動粒子の動きとを別々に制御することができ、電気光学装置の画像表示における第１の色による階調制御を、１種類の電気泳動粒子を用いて行う階調制御に比較して容易に行うことができる。
【００１５】
［適用例２］
上記適用例にかかる電気光学装置において、更に、第２の色に着色され、第２の極性に帯電された第３の電気泳動粒子を含むことが好ましい。
【００１６】
この構成よれば、更に、第２の色に着色され、第２の極性に帯電された第３の電気泳動粒子を含むことにより、第１の色に着色された第１の電気泳動粒子及び第２の電気泳動粒子と第２の色に着色された第３の電気泳動粒子を用いた第１の色と第２の色による混色の表示を、第１の色の容易な階調制御を用いて行うことができ、混色における階調制御を容易なものとすることができる。
【００１７】
［適用例３］
上記適用例にかかる電気光学装置において、更に、前記第２の色に着色され、前記第２の極性に帯電された第４の電気泳動粒子を含み、前記第３の電気泳動粒子の帯電量の絶対値は前記第４の電気泳動粒子の帯電量の絶対値よりも大きいことが好ましい。
【００１８】
この構成において、更に、第２の色に着色され、第２の極性に帯電された第４の電気泳動粒子を含み、第３の電気泳動粒子の帯電量の絶対値は第４の電気泳動粒子の帯電量の絶対値よりも大きいことにより、第１の電極と第２の電極との間における電界の強さを制御することで第３の電気泳動粒子の動きと第４の電気泳動粒子の動きとを別々に制御することができ、電気光学装置の画像表示における第２の色による階調制御を、１種類の電気泳動粒子を用いて行う階調制御に比較して容易に行うことができる。これにより、電子光学装置の画像表示における階調表示をより好ましく行うことができる。
【００１９】
［適用例４］
上記適用例にかかる電気光学装置において、更に、第３の色に着色され、前記第１の極性に帯電された第５の電気泳動粒子を含み、前記第５の電気泳動粒子の帯電量の絶対値は、前記第１の電気泳動粒子の帯電量の絶対値及び前記第２の電気泳動粒子の帯電量の絶対値と異なることが好ましい。
【００２０】
この構成によれば、更に、第３の色に着色され、第１の極性に帯電された第５の電気泳動粒子を含み、第５の電気泳動粒子の帯電量の絶対値は、第１の電気泳動粒子の帯電量の絶対値及び第２の電気泳動粒子の帯電量の絶対値と異なることによって、電気光学装置の画像表示において、第１の色、第２の色及び第３の色を用いての混色の表示の制御を容易なものとすることができる。
【００２１】
［適用例５］
上記適用例にかかる電気光学装置において、前記第１の電気泳動粒子と前記第２の電気泳動粒子とでは、光に対する反射率が異なることが好ましい。
【００２２】
この構成において、第１の電気泳動粒子と第２の電気泳動粒子とでは、光に対する反射率が異なることによって、電気光学装置の画像表示の階調制御を電気泳動粒子の反射率の違いを加味した第１の電気泳動粒子の移動制御及び第２の電気泳動装置の移動制御により行うことができることで、制御の幅を広げることができる。
【００２３】
［適用例６］
上記適用例にかかる電気光学装置において、前記第３の電気泳動粒子と前記第４の電気泳動粒子とでは、光に対する反射率が異なることが好ましい。
【００２４】
この構成によれば、第３の電気泳動粒子と第４の電気泳動粒子とでは、光に対する反射率が異なることによって、電気光学装置の画像表示の階調制御を電気泳動粒子の反射率の違いを加味した第１の電気泳動粒子の移動制御及び第２の電気泳動装置の移動制御により行うことができることで、制御の幅を広げることができる。
【００２５】
［適用例７］
上記適用例にかかる電気光学装置において、前記分散媒は、着色されていることを特徴とする。
【００２６】
この構成によれば、分散媒が着色されていることにより、電気泳動粒子に着色された色と分散媒の色を組み合わせての混色が可能となるので、電気光学装置におけるより好ましい画像表示が可能となる。
【００２７】
［適用例８］
画像表示を行う電子機器であって、上記の電気光学装置を有することを特徴とする。
【００２８】
この構成によれば、電子機器に上記の電気光学装置を用いることで、画像をより好ましい階調表示が可能な電子機器の提供ができる。
【００２９】
［適用例９］
本適用例にかかる電気光学装置の制御方法は、第１の色に着色され、第１の極性に帯電された第１の電気泳動粒子と、光に対する反射率が異なる前記第１の色に着色され、前記第１の極性に前記第１の電気泳動粒子と異なる帯電量に帯電された第２の電気泳動粒子と、を用い、前記第１の電気泳動粒子の泳動距離及び前記第２の電気泳動粒子の泳動距離を制御することにより、表示する画像の階調の制御を行うことを特徴とする。
【００３０】
この方法によれば、第１の色に着色され、第１の極性に帯電された第１の電気泳動粒子と、光に対する反射率が異なる前記第１の色に着色され、第１の極性に第１の電気泳動粒子と異なる帯電量に帯電された第２の電気泳動粒子と、を用い、第１の電気泳動粒子の泳動距離及び第２の電気泳動粒子の泳動距離を制御することにより、表示する画像の階調の制御を行うことで、電気光学装置の画像表示における第１の色による階調制御を、１種類の電気泳動粒子を用いて行う階調制御に比較して容易に行うことができる。
【図面の簡単な説明】
【００３１】
【図１】第１実施形態にかかる電気光学装置としての電気泳動表示装置の構成例のブロック図。
【図２】電気泳動表示装置の表示領域における等価回路を示す図。
【図３】図３（Ａ）、図３（Ｂ）は電気泳動表示装置の動作説明図。
【図４】第１実施形態のマイクロカプセルの模式図。
【図５】第１実施形態の電気泳動粒子の電気泳動移動度の説明図。
【図６】電気泳動粒子の光応答におけるヒステリシス特性の一例を示す図。
【図７】電気泳動粒子による表示状態の保持特性の一例を示す図。
【図８】第２実施形態のマイクロカプセルの構成の概要を模式的に示す図。
【図９】第２実施形態の電気泳動粒子の電気泳動移動度の説明図。
【図１０】第３実施形態のマイクロカプセルの構成の概要を模式的に示す図。
【図１１】第３実施形態の電気泳動粒子の電気泳動移動度の説明図。
【図１２】第４実施形態において黒色を表示する場合の動作説明図。
【図１３】第４実施形態の電気泳動粒子の電気泳動移動度の説明図。
【図１４】第１の実施形態〜第５の実施形態のいずれかの電気泳動表示装置を含む電子機器の構成例のブロック図。
【発明を実施するための形態】
【００３２】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。用いる図面は、実施形態の説明の便宜上のものである。
【００３３】
また、以下の実施形態では、本発明にかかる電気光学装置の一例として、アクティブマトリクス駆動方式の電気泳動表示装置について説明するが、本発明にかかる電気光学装置は、アクティブマトリクス駆動方式の電気泳動表示装置に限定されるものではない。
【００３４】
（第１実施形態）
図１に、本実施形態にかかる電気光学装置としての電気泳動表示装置１０の概略ブロック図を示す。
【００３５】
電気泳動表示装置１０は、各画素にメモリー性を有する表示素子を備え、表示状態の更新を行わない状態において従前の表示状態を保持する性質を有する。
【００３６】
電気泳動表示装置１０は、表示領域１２と、コントローラー２０と、走査線駆動回路３０と、データ線駆動回路４０と、共通電極駆動回路５０とを備えている。
【００３７】
表示領域１２は、ｍ（ｍは２以上の整数）行×ｎ（ｎは２以上の整数）列にマトリクス状に配列された複数の画素Ｐ１１〜Ｐｎ１，Ｐ１２〜Ｐｎ２，・・・，Ｐ１ｍ〜Ｐｎｍを有する。複数の画素Ｐ１１〜Ｐｎ１，Ｐ１２〜Ｐｎ２，・・・，Ｐ１ｍ〜Ｐｎｍの各々は、同一の構成を有する。この表示領域１２には、走査線Ｙ１〜Ｙｍと、データ線Ｘ１〜Ｘｎとが互いに交差するように配置されている。具体的には、表示領域１２には、Ｘ方向に延伸しＹ方向に並ぶｍ本の走査線Ｙ１〜Ｙｍが設けられ、Ｙ方向に延伸しＸ方向に並ぶｎ本のデータ線Ｘ１〜Ｘｎが設けられる。各画素は、各走査線と各データ線との交差に対応して配置される。各画素は、画素電極や対向電極などを有し、その構造は後述する。
【００３８】
コントローラー２０は、走査線駆動回路３０、データ線駆動回路４０、及び共通電極駆動回路５０の動作を制御する部分である。コントローラー２０は、所望の表示状態を実現するために、走査線駆動回路３０、データ線駆動回路４０、及び共通電極駆動回路５０に対して、クロック信号、スタートパルス信号等のタイミング信号を供給する。
【００３９】
走査線駆動回路３０は、コントローラー２０からの制御によって、所定のフレーム期間内に、走査線Ｙ１，Ｙ２，・・・，Ｙｍの各々にパルス状の信号である走査信号を順次供給する。
【００４０】
データ線駆動回路４０は、コントローラー２０からの制御によって、データ線Ｘ１，Ｘ２，・・・，Ｘｎの各々にデータ電圧を供給する。データ電圧は、例えば、基準電圧「ＧＮＤ」（例えば０ボルト）、高電位側電圧「ＶＳＨ」（例えば＋１５ボルト）、及び低電位側電圧「−ＶＳＨ」（例えば−１５ボルト）のいずれかである。
【００４１】
共通電極駆動回路５０は、各画素の対向電極に電気的に接続される共通電極線５２に、共通電圧Ｖｃｏｍ（例えば基準電圧「ＧＮＤ」と同電位の電圧）を供給する。共通電圧Ｖｃｏｍは、対向電極と基準電圧「ＧＮＤ」が供給されたときの画素電極との間の電圧が実質的に同じとなる範囲であれば、基準電圧「ＧＮＤ」とは異なる電圧であってもよい。例えば、共通電圧Ｖｃｏｍは、他の信号線や電極等との交流結合による画素電極の電位変動を考慮して、画素電極に供給される基準電圧「ＧＮＤ」とは異なる値であってもよい。
【００４２】
図２に、表示領域１２における電気的な構成の等価回路の一例を示す。図２において、図１と同様の部分には同一符号を付し、適宜説明を省略する。画素Ｐ１１〜Ｐｎ１，Ｐ１２〜Ｐｎ２，・・・，Ｐ１ｍ〜Ｐｎｍを構成する各画素は同様の構成を有するため、以下では画素Ｐ１１について説明する。
【００４３】
画素Ｐ１１は、スイッチングトランジスター６０と、画素電極６２と、対向電極６４と、電気泳動素子（電気光学素子）６６と、保持容量６８とを備えている。
【００４４】
スイッチングトランジスター６０は、例えばＮ型の金属酸化膜半導体（Metal Oxide Semiconductor：ＭＯＳ）トランジスターにより構成される。このスイッチングトランジスター６０において、ゲートは走査線Ｙ１に電気的に接続され、ソースはデータ線Ｘ１に電気的に接続され、ドレインは画素電極６２及び保持容量６８の一端に電気的に接続される。このようなスイッチングトランジスター６０は、走査線Ｙ１を介して供給される走査信号に対応したタイミングで、データ線Ｘ１を介して供給されるデータ電圧を画素電極６２及び保持容量６８の一端に出力する。
【００４５】
画素電極６２は、第１の電極として、電気泳動素子６６を介して対向電極６４と互いに対向するように配置される。画素電極６２には、データ線Ｘ１及びスイッチングトランジスター６０を介してデータ電圧が供給される。
【００４６】
対向電極６４は、第２の電極として、共通電圧Ｖｃｏｍが供給される共通電極線５２に電気的に接続される。画素Ｐ１１〜Ｐｎ１，Ｐ１２〜Ｐｎ２，・・・，Ｐ１ｍ〜Ｐｎｍを構成する各画素が有する対向電極は、同電位となる。対向電極６４は、例えばマグネシウム銀（ＭｇＡｇ）、インジウム・スズ酸化膜（ＩＴＯ）、インジウム・亜鉛酸化物（ＩＺＯ）等の透明導電材料から形成され、対向電極６４側に画像が表示される。
【００４７】
電気泳動素子６６は、画素電極６２と対向電極６４との間に設けられ、電気泳動層を形成する。電気泳動素子６６は、帯電され、且つ、着色された複数の電気泳動粒子を各々が含んで構成される複数のマイクロカプセル（広義にはセル）により構成される。即ち、電気泳動表示装置１０は、マイクロカプセル型の電気泳動表示装置である。
【００４８】
保持容量６８は、誘電体膜を介して対向配置された一対の電極を備えた構成を有する。一方の電極は、スイッチングトランジスター６０のドレイン及び画素電極６２に電気的に接続され、他方の電極は、共通電極線５２に電気的に接続される。このような保持容量６８は、画素電極６２に供給されるデータ電圧を所定期間だけ保持することができる。
【００４９】
図３（Ａ）、図３（Ｂ）に、電気泳動素子６６の動作説明図を示す。図３（Ａ）及び図３（Ｂ）は、画素を構成する対向電極６４、画素電極６２及び電気泳動素子６６の部分断面図を模式的に表したものであり、図３（Ａ）は、対向電極６４が画素電極６２より高電位に設定された状態、図３（Ｂ）は、対向電極６４が画素電極６２より低電位に設定された状態を表している。なお、図３（Ａ）、図３（Ｂ）において、図２と同様の部分には同一符号を付し、適宜説明を省略する。
【００５０】
電気泳動素子６６を構成する各マイクロカプセル７０は、例えば粘性を有する分散媒７２と、例えば正に帯電され黒色に着色された電気泳動粒子７４と、例えば負に帯電され白色に着色された電気泳動粒子７６とを有する。電気泳動粒子７４，７６は、画素電極６２及び対向電極６４の間に挟持され、両電極間の電圧に応じて分散媒７２内で泳動する。
【００５１】
対向電極６４が画素電極６２より高電位となるように設定されたとき、図３（Ａ）に示すように、正に帯電された黒色の電気泳動粒子７４が画素電極６２に引き寄せられ、負に帯電された白色の電気泳動粒子７６が対向電極６４に引き寄せられる。このとき、対向電極６４側から見ると、白色が認識される。
【００５２】
これに対して、対向電極６４が画素電極６２より低電位となるように設定されたとき、図３（Ｂ）に示すように、正に帯電された黒色の電気泳動粒子７４が対向電極６４に引き寄せられ、負に帯電された白色の電気泳動粒子７６が画素電極６２に引き寄せられる。このとき、対向電極６４側から見ると、黒色が認識される。
【００５３】
また、対向電極６４が画素電極６２と実質的に同電位となるように設定されたとき、マイクロカプセル７０内の電気泳動粒子７４，７６は電気泳動せず、従前の表示状態を保持することになる。
【００５４】
図４に、本実施形態におけるマイクロカプセル７０の構成を模式的に示す。図４において、図３（Ａ）又は図３（Ｂ）と同様の部分には同一符号を付し、適宜説明を省略する。
【００５５】
マイクロカプセル７０は、正に帯電され互いに帯電量（帯電する電荷量）が異なる白色（第１の色）の第１の電気泳動粒子７６１，第２の電気泳動粒子７６２及び黒色の分散媒７２を含む。第１の電気泳動粒子７６１は、第１の電荷量Ｑ１を有し、第２の電気泳動粒子７６２は、第１の電荷量Ｑ１と異なる第２の電荷量Ｑ２を有する。ここで、Ｑ１＞Ｑ２とする。
【００５６】
電気泳動粒子の単位時間当たりの移動速度である電気泳動移動度（広義には移動度）μは、分散媒７２の粘度をη、電気泳動粒子の粒径をｄｐ、電気泳動粒子が帯電する電荷量をｑ、電気泳動素子６６に印加される電界をＥとすると、次式のように表すことができる。
【数１】
2014182171.tif 000003
【００５７】
Ｑ１＞Ｑ２であるから、移動度μは第１の電気泳動粒子７６１の方が第２の電気泳動粒子７６２よりも大きい。第１の電気泳動粒子７６１の移動度μ１及び第２の電気泳動粒子７６２の移動度μ２を、図５に、模式的に示す。図５において、横軸に任意単位の電気泳動粒子の電荷量を、縦軸に任意単位の電気泳動粒子の電気泳動移動度を示している。
【００５８】
式（１）から分かるように、電気泳動粒子の電荷量ｑを異ならせることにより、電気泳動粒子の移動度μを異ならせることができる。具体的には、電気泳動粒子は、式（１）に示すように、その電荷量が多いほど、その移動度を大きくすることできる。Ｑ１＞Ｑ２であるので、第１の電気泳動粒子７６１の電気泳動移動度μ１は、第２の電気泳動粒子７６２の電気泳動移動度μ２より大きくなる。
【００５９】
即ち、第１の電気泳動粒子７６１及び第２の電気泳動粒子７６２に対して、共に泳動可能な同一強度の電界を印加した場合、所定の時間における泳動距離は第１の電気泳動粒子７６１の方が第２の電気泳動粒子７６２よりも長くなる。
【００６０】
その結果、同一色の電気泳動粒子の電気泳動移動度の差を利用することで、単一の電気泳動移動度の電気泳動粒子により実現される光学特性と異なる光学特性を実現することができるようになる。
【００６１】
図６は、第１の電気泳動粒子７６１及び第２の電気泳動粒子７６２それぞれに所定の電荷を印加したときの光応答特性をヒステリシス特性のイメージとして示したものである。第１の電気泳動粒子７６１の特性をＳ１として、第２の電気泳動粒子７６２の特性をＳ２として示している。図６において、横軸は時間の変位、縦軸は明度（Ｌ＊）である。
【００６２】
ここで、明度（Ｌ＊）とは、それぞれの電気泳動粒子を黒色の分散媒に混ぜ所定の電界を印加したときの画像表示面における光の反射量を示すものである。なお、図６において、第１の電気泳動粒子７６１の光反射率は、第２の電気泳動粒子の光反射率よりも低いとしている。もし、光反射率が同じである場合には、第１の電気泳動粒子７６１の明度（Ｌ＊）の最大値ＬＢｍａｘは、第２の電気泳動粒子７６２の明度（Ｌ＊）の最大値ＬＡｍａｘと同じになる。また、第１の電気泳動粒子７６１の明度（Ｌ＊）の最小値及び第２の電気泳動粒子７６２の明度（Ｌ＊）の最小値は、共に黒色の分散媒の色が支配的となることから、それぞれの光反射率に関係なく同じ値Ｌｍｉｎとなる。
【００６３】
図６で示すように、第１の電気泳動粒子７６１の明度（Ｌ＊）が最大値ＬＢｍａｘから最小値Ｌｍｉｎに変化するのに要する時間、及び、最小値Ｌｍｉｎから最大値ＬＢｍａｘに変化するのに要する時間は、共にＴ１である。同様に、第２の電気泳動粒子７６２の明度（Ｌ＊）が最大値ＬＡｍａｘから最小値Ｌｍｉｎに変化するのに要する時間、及び、最小値Ｌｍｉｎから最大値ＬＡｍａｘに変化するのに要する時間は、共にＴ２である。Ｑ１及びＱ２の量を適度に調整することにより、例えばＴ１＝０．１秒、Ｔ２＝０．５秒のようにすることができる。
【００６４】
電気泳動素子６６としての光応答量は、第１の電気泳動粒子７６１による明度（Ｌ＊）と第２の電気泳動粒子７６２による明度（Ｌ＊）とが組み合わされた量となる。光応答量としての細かな階調の調整に移動度の大きい第１の電気泳動粒子７６１を用いることで、階調の調整を短時間の間に行うことが可能となる。また、図６に示したように、第１の電気泳動粒子７６１の反射率が第２の電気泳動粒子７６２の反射率よりも低いとした場合には、同じ反射率の場合と比較すると、駆動時間が同じであっても階調の変化は異なってくる。従って、第１の電気泳動粒子７６１及び第２の電気泳動粒子７６２の量を調整したり、それぞれの反射率を変えたりすることにより電気泳動素子６６の特性を調整することが可能であり、使用される目的にあった電気泳動表示装置１０を構成することが可能となる。
【００６５】
次に、図７に、第１の電気泳動粒子７６１，及び、第２の電気泳動粒子７６２の表示状態の保持特性の例を示す。図７は、横軸に保持時間、縦軸に明度（Ｌ＊）をとり、第１の電気泳動粒子７６１の保持特性を実線Ｓ１１で表し、第２の電気泳動粒子７６２の保持特性を破線Ｓ１２で表す。
【００６６】
図７における例では、移動度が大きい電気泳動粒子による画像のメモリー効果は、移動度が小さい電気泳動粒子によるメモリー効果より低い傾向があることを示している。この場合、電子光学装置として所定の画像の表示状態を長時間保持しようとすると移動度の小さい粒子を用いることが好ましいこととなる。
【００６７】
このような場合、例えば第１の電気泳動粒子７６１を７０％、第２の電気泳動粒子７６２を３０％として混合させると、例えば表示状態の保持時間が２００日、階調制御に要する時間が０．２秒というような特性が得られ、表示画像の階調制御に要する時間と画像の保持時間とを目的にあった形でバランスをとることが可能となる。即ち、本実施形態によれば、単一の電気泳動移動度を有する電気泳動粒子のみでは実現できない保持時間の長期化と画像更新時間の短縮とを図ることができる。
【００６８】
また、例えば、第１の電気泳動粒子７６１の動作温度範囲が−２０度〜４０度であり、第２の電気泳動粒子７６２の動作温度範囲が０度〜６０度であるものとする。このとき、第１の電気泳動粒子７６１及び第２の電気泳動粒子７６２を所定の量で混合させると、例えばコントラストの低下を最小限に抑え、動作温度範囲が−２０度〜７０度といった動作温度範囲の拡大も可能となる。
【００６９】
第１の電気泳動粒子７６１及び第２の電気泳動粒子７６２が上記の特性のみならず他の特性が異なる場合でも同様であり、第１の電気泳動粒子７６１及び第２の電気泳動粒子７６２を混合させることで、白色の電気泳動粒子が１種類の電気泳動移動度のみを有する場合では実現できない特性を実現することができる。
【００７０】
（第２実施形態）
本実施形態は、第１の極性に帯電された２種類の白色に着色された電気泳動粒子と第２の極性に帯電され黒色に着色された電気泳動粒子を用いた例である。本実施形態における電気泳動素子６６に用いられるマイクロカプセル３７０の模式図を図８に示す。なお、本実施形態を含め以降の実施形態において、第１実施形態と同様の機能のものについて同一符号を付し、その説明を省略する場合がある。
【００７１】
マイクロカプセル３７０は、白色に着色された第１の電気泳動粒子３６１及び第２の電気泳動粒子３６２、黒色に着色された第３の電気泳動粒子３４１を含む。マイクロカプセル３７０に含まれる分散媒３７２は略透明である。本実施形態においては第１の電気泳動粒子３６１及び第２の電気泳動粒子３６２は負に帯電され、その電荷量はそれぞれＱ１及びＱ２であり、Ｑ１＜Ｑ２の関係がある。第３の電気泳動粒子３４１は正に帯電され、その電荷量はＱ３である。従って、電気泳動素子６６に所定の電界を印加すると、第１の電気泳動粒子３６１及び第２の電気泳動粒子３６２と第３の電気泳動粒子３４１とでは、泳動する方向が逆の方向となる。図９に、移動度と帯電された電荷との関係を示す。図９において、負に帯電された電気泳動粒子の移動度はマイナスで示している。
【００７２】
画素電極６２と対向電極６４との間に所定の電界が印加されると、第１の電気泳動粒子３６１及び第２の電気泳動粒子３６２と第３の電気泳動粒子３４１とが逆方向に泳動することで電気泳動表示装置１０における表示画像の大まかな階調が制御され、その後に移動度の絶対値の大きい第１の電気泳動粒子３６１の泳動を制御することで、細かな階調の制御をする画像表示の制御を行うことができる。
【００７３】
（第３実施形態）
本実施形態は、第２実施形態に、更に、黒色に着色され正の電荷Ｑ４に帯電された第４の電気泳動粒子３４２を加えたものである。Ｑ３＞Ｑ４の関係にあるものとする。図１０に本実施形態におけるマイクロカプセル４７０を、図１１に移動度と帯電された電荷の関係を示す。
【００７４】
画素電極６２と対向電極６４との間に所定の電界が印加されると、第１の電気泳動粒子３６１及び第２の電気泳動粒子３６２と第３の電気泳動粒子３４１及び第４の電気泳動粒子３４２とが逆方向に泳動することで電気泳動表示装置１０における表示画像の大まかな階調が制御され、その後に移動度の絶対値の大きい第１の電気泳動粒子３６１及び第３の電気泳動粒子３４１の泳動を制御することで、細かな階調の制御をする画像表示の制御を行うことができる。
【００７５】
（第４実施形態）
本実施形態は、第３の実施形態に、更に、赤色に着色され負の電荷Ｑ５に帯電された第５の電気泳動粒子３８１を加えたものである。Ｑ５＜Ｑ１の関係があるものとする。図１２に本実施形態におけるマイクロカプセル５７０を、図１３に移動度と帯電された電荷の関係を示す。
【００７６】
画素電極６２と対向電極６４との間に所定の電界が印加されると、第１の電気泳動粒子３６１、第２の電気泳動粒子３６２及び第５の電気泳動粒子３８１と、第３の電気泳動粒子３４１及び第４の電気泳動粒子３４２とが逆方向に泳動することで電気泳動表示装置１０における表示画像の大まかな階調が制御され、その後に移動度の絶対値の大きい第１の電気泳動粒子３６１及び第３の電気泳動粒子３４１の泳動を制御し、更に移動度の絶対値の大きい第５の電気泳動粒子３８１の泳動を制御することで、細かな階調の制御をする画像表示の制御を行うことができる。なお、本実施形態においてはＱ５＜Ｑ１としたが、帯電される電荷量の関係は本実施形態の場合に限定されるものではない。それぞれの電荷量の関係においてそれぞれに対応した色調、階調の表現に応じた制御を設定することが可能である。
【００７７】
（第５実施形態）
本実施形態は、第４の実施形態において、第１の電気泳動粒子３６１及び第２の電気泳動粒子３６２を赤色とし、第５の電気泳動粒子を白色とした例である。
【００７８】
画素電極６２と対向電極６４との間に所定の電界が印加されると、第１の電気泳動粒子３６１、第２の電気泳動粒子３６２及び第５の電気泳動粒子３８１と、第３の電気泳動粒子３４１及び第４の電気泳動粒子３４２とが逆方向に泳動することで電気泳動表示装置１０における表示画像の大まかな階調が制御され、その後に移動度の絶対値の大きい第１の電気泳動粒子３６１及び第３の電気泳動粒子３４１の泳動を制御し、更に移動度の絶対値の大きい第５の電気泳動粒子３８１の泳動を制御することで、細かな階調の制御をする画像表示の制御を行うことができる。
【００７９】
（第６実施形態）
本実施形態は、第１実施形態〜第５実施形態における電気光学装置を電子機器に適用する例である。
【００８０】
図１４に、第１実施形態〜第５実施形態のいずれかの電気光学装置を含む電子機器の構成例のブロック図を示す。電子機器６００は、ホスト６１０と、電気泳動表示装置１０と、記憶部６２０と、操作部６３０と、通信部６４０とを備えている。
【００８１】
ホスト６１０は、電気泳動表示装置１０を含め電子機器６００を構成する各部の動作を制御する。具体的には、ホスト６１０は、記憶部６２０等に予め記憶されるプログラムを実行することにより、電気泳動表示装置１０の動作を制御する。記憶部６２０は、ホスト６１０により実行されるプログラムやデータ、電気泳動表示装置１０に表示させる画像に対応した画像データを記憶するものである。このような記憶部３２０の機能は、読み出し専用メモリー（Read-Only Memory：ＲＯＭ）やランダムアクセスメモリー（Random Access Memory：ＲＡＭ）等により実現される。操作部６３０は、ユーザーが各種情報を入力するためのものであり、各種ボタンやキーボード等により実現される。通信部６４０は、外部との通信処理を行い、例えば電気泳動表示装置１０に表示させる画像に対応した画像データの受信を行う。
【００８２】
このような電子機器６００としては、例えば電子カード（クレジットカード、ポイントカード等）、電子ペーパー、電子ノート、電子辞書、リモコン、時計、携帯電話機、電子書籍端末等の携帯情報端末、電卓等の種々の機器を挙げることができる。
【００８３】
以上、本発明にかかる電気光学装置、及び電子機器等を上記のいずれかの実施形態に基づいて説明したが、本発明は上記のいずれかの実施形態に限定されるものではない。例えば、その要旨を逸脱しない範囲において種々の態様において実施することが可能であり、次のような変形も可能である。
【００８４】
本発明は、上記の実施形態において説明した電気泳動粒子が着色される色、帯電する極性、マイクロカプセル内の電気泳動粒子の種類の数等に限定されるものではない。また、本発明は、上記の実施形態において説明した電極、分散媒や電気泳動粒子の材質に限定されるものではない。
【００８５】
上記の実施形態では、画素電極及び対向電極間の電圧印加時間に応じて、電気泳動移動度が異なる電気泳動粒子を独立して制御する例を説明したが、印加電圧レベルに応じて、電気泳動移動度が異なる電気泳動粒子を独立して制御するようにしてもよい。
【００８６】
上記の実施形態において、本発明を電気光学装置、電子機器、及び電気光学装置の制御方法等として説明したが、本発明は、これに限定されるものではない。例えば、本発明は、電気泳動表示装置や、電気光学装置又は電気泳動表示装置の駆動方法であってもよい。
【符号の説明】
【００８７】
１０…電気泳動表示装置、１２…表示領域、２０…コントローラー、３０…走査線駆動回路、４０…データ線駆動回路、５０…共通電極駆動回路、５２…共通電極線、６０…スイッチングトランジスター、６２…画素電極、６４…対向電極、６６…電気泳動素子、６８…保持容量、７０…マイクロカプセル、７２…分散媒、７４…電気泳動粒子、７６…電気泳動粒子、３２０…記憶部、３４１…第３の電気泳動粒子、３４２…第４の電気泳動粒子、３６１…第１の電気泳動粒子、３６２…第２の電気泳動粒子、３７０…マイクロカプセル、３７２…分散媒、３８１…第５の電気泳動粒子、４７０…マイクロカプセル、５７０…マイクロカプセル、６００…電子機器、６００…含め電子機器、６１０…ホスト、６２０…記憶部、６３０…操作部、６４０…通信部、７６１…第１の電気泳動粒子、７６２…第２の電気泳動粒子、７６２…第１の電気泳動粒子。
【図１】
2014182171.tif 000004
【図２】
2014182171.tif 000005
【図３】
2014182171.tif 000006
【図４】
2014182171.tif 000007
【図５】
2014182171.tif 000008
【図６】
2014182171.tif 000009
【図７】
2014182171.tif 000010
【図８】
2014182171.tif 000011
【図９】
2014182171.tif 000012
【図１０】
2014182171.tif 000013
【図１１】
2014182171.tif 000014
【図１２】
2014182171.tif 000015
【図１３】
2014182171.tif 000016
【図１４】
2014182171.tif 000017